(57)【要約】  ＭＩＭＯ（Ｍｕｌｔｉｐｌｅ−Ｉｎｐｕｔ  Ｍｕｌｔｉｐｌｅ−Ｏｕｔｐｕｔ：多入力多出力）無線通信システムにおいてＨ−ＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）を実施するための方法および装置が開示される。送信機は２つまたはそれ以上のアンテナを介して少なくとも２つのデータ・パケットを送信する。それらのデータ・パケットの少なくとも１つが送信に成功しなかったら、送信機は直交拡散手法にてそのデータ・パケットを再配列して、データ・パケットを再送信する。あるいはまた送信機は、送信に成功したデータ・パケットと入れ替えた新しいデータ・パケットと共に、送信に成功しなかったデータ・パケットのみを再送信することができる。送信に成功しなかったデータ・パケットは、その形式を変更することなく、単に繰り返される場合がある。送信に成功しなかったデータ・パケットのみを新しいデータ・パケットと共に再送信する場合には、再送信されたデータ・パケットおよび新しいデータ・パケットを同時に再生させるためにそれらの送信を合成することができる。
2009534928.tif 000002
【特許請求の範囲】
【請求項１】
ＭＩＭＯ無線通信システムにおいてハイブリッド自動再送要求（Ｈ−ＡＲＱ）を実施するための方法であって、
送信機が、少なくとも２つのデータ・パケットを受信機に送信することと、
前記データ・パケット群の少なくとも１つが送信に成功しなかったら、前記送信機が、再送信のために直交拡散手法にて前記データ・パケット群を再配列して、前記受信機に前記データ・パケット群を再送信することと
を具備することを特徴とする方法。
【請求項２】
前記データ・パケット群を送信するために、アンテナ別伝送速度制御（ＰＡＲＣ）が実行されることを特徴とする請求項１に記載の方法。
【請求項３】
前記送信機および前記受信機の両方が２つのアンテナを含み、前記送信機が、２つのアンテナを介して最初の送信にてデータ・シンボルのｘ１およびｘ２を送信すること、および再送信にてデータ・シンボルのｘ１および−ｘ２を送信することを特徴とする請求項１に記載の方法。
【請求項４】
前記送信機および前記受信機の両方が４つのアンテナを含み、前記送信機が、４つのアンテナを介して最初の送信にてデータ・シンボルのｘ１，ｘ２、ｘ３、およびｘ４を送信すること、および第１の再送信にてデータ・シンボルのｘ１、−ｘ２、ｘ３、および−ｘ４を送信することを特徴とする請求項１に記載の方法。
【請求項５】
前記送信機が第２の再送信にてデータ・シンボルのｘ１、ｘ２、−ｘ３、および−ｘ４を送信することを特徴とする請求項４に記載の方法。
【請求項６】
前記送信機が第３の再送信にてデータ・シンボルのｘ１、−ｘ２、−ｘ３、およびｘ４を送信することを特徴とする請求項５に記載の方法。
【請求項７】
ＭＩＭＯ無線通信システムにおいてハイブリッド自動再送要求（Ｈ−ＡＲＱ）を実施するための方法であって、
送信機が少なくとも２つのデータ・パケットを受信機に送信することと、
最初の送信にて前記データ・パケット群の少なくとも１つが送信に成功しなかったら、前記送信機が、送信に成功したデータ・パケットと入れ替えた新しいデータ・パケットと共に前記送信に成功しなかったデータ・パケットを再送信することと
を具備することを特徴とする方法。
【請求項８】
前記受信機が、前記送信に成功したデータ・パケットを組み立てることと、
前記受信機が、最初に受信されたデータから前記送信に成功したデータ・パケットを差し引くことと、
前記受信機が、再送信されたデータ、および前記送信に成功したデータ・パケットを差し引いた後の前記最初に受信されたデータを合成することと、
前記受信機が、前記最初の送信にて前記送信に成功しなかったデータ・パケットおよび前記新しいデータ・パケットを獲得するための処理を同時に実行することと
をさらに具備することを特徴とする請求項７に記載の方法。
【請求項９】
前記送信に成功しなかったデータ・パケットが、最初の送信における通りに形式を変更することなく単に繰り返されることを特徴とする請求項７に記載の方法。
【請求項１０】
前記送信に成功しなかったデータ・パケットおよび前記新しいデータ・パケットが、時空間ブロック符号化（ＳＴＢＣ）ベースのＨ−ＡＲＱ方式に従って配列されることを特徴とする請求項９に記載の方法。
【請求項１１】
前記新しいデータ・パケットに対する形式が、前記送信に成功したデータ・パケットと同じであることを特徴とする請求項９に記載の方法。
【請求項１２】
前記新しいデータ・パケットに対する形式が、前記送信に成功したデータ・パケットと異なっていることを特徴とする請求項９に記載の方法。
【請求項１３】
前記データ・パケット群を送信するために、アンテナ別伝送速度制御（ＰＡＲＣ）が実行されることを特徴とする請求項７に記載の方法。
【請求項１４】
ＭＩＭＯ無線通信システムにおいてハイブリッド自動再送要求（Ｈ−ＡＲＱ）を実施するための送信機であって、
少なくとも２つのアンテナと、
前記アンテナを介して少なくとも２つのデータ・パケットを同時に送信し、前記データ・パケット群の少なくとも１つが送信に成功しなかったら、前記データ・パケット群を再送信するＨ−ＡＲＱ送信機と、
前記データ・パケット群を再送信のために直交拡散手法にて再配列する制御装置と
を具備することを特徴とする送信機。
【請求項１５】
前記データ・パケット群を送信するために、アンテナ別伝送速度制御（ＰＡＲＣ）が実行されることを特徴とする請求項１４に記載の送信機。
【請求項１６】
前記送信機および受信機の両方が２つのアンテナを含み、前記制御装置が、２つのアンテナを介して最初の送信にてデータ・シンボルのｘ１およびｘ２を送信し、再送信にてデータ・シンボルのｘ１および−ｘ２を送信することを特徴とする請求項１４に記載の送信機。
【請求項１７】
前記送信機および受信機の両方が４つのアンテナを含み、前記制御装置が、４つのアンテナを介して最初の送信にてデータ・シンボルのｘ１，ｘ２、ｘ３、およびｘ４を送信し、第１の再送信にてデータ・シンボルのｘ１、−ｘ２、ｘ３、および−ｘ４を送信することを特徴とする請求項１４に記載の送信機。
【請求項１８】
前記送信機が第２の再送信にてデータ・シンボルのｘ１、ｘ２、−ｘ３、および−ｘ４を送信することを特徴とする請求項１７に記載の送信機。
【請求項１９】
前記送信機が第３の再送信にてデータ・シンボルのｘ１、−ｘ２、−ｘ３、およびｘ４を送信することを特徴とする請求項１８に記載の送信機。
【請求項２０】
ＭＩＭＯ無線通信システムにおいてハイブリッド自動再送要求（Ｈ−ＡＲＱ）を実施するための送信機であって、
少なくとも２つのアンテナと、
前記アンテナを介して少なくとも２つのデータ・パケットを送信し、最初の送信にて前記データ・パケット群の少なくとも１つが送信に成功しなかったら、データ・パケット群を再送信するＨ−ＡＲＱ送信機と、
送信に成功したデータ・パケットと入れ替えた新しいデータ・パケットと共に前記送信に成功しなかったデータ・パケットのみを再送信するように前記Ｈ−ＡＲＱ送信機を制御する制御装置と
を具備することを特徴とする送信機。
【請求項２１】
前記送信に成功しなかったデータ・パケットが、形式を変更することなく単に繰り返されることを特徴とする請求項２０に記載の送信機。
【請求項２２】
前記新しいデータ・パケットに対する形式が、前記送信に成功したデータ・パケットと同じであることを特徴とする請求項２０に記載の送信機。
【請求項２３】
前記新しいデータ・パケットに対する形式が、前記送信に成功したデータ・パケットと異なっていることを特徴とする請求項２０に記載の送信機。
【請求項２４】
前記データ・パケット群を送信するために、アンテナ別伝送速度制御（ＰＡＲＣ）が実行されることを特徴とする請求項２０に記載の送信機。
【請求項２５】
ＭＩＭＯ無線通信システムにおいてハイブリッド自動再送要求（Ｈ−ＡＲＱ）を実施するための受信機であって、
少なくとも２つのアンテナと、
最初の送信にて少なくとも１つのデータ・パケットが配信に成功しなかった場合に、送信に成功したデータ・パケットと入れ替えた新しいデータ・パケットと共に送信に成功しなかったデータ・パケットを再送信する送信機からデータを受信するためのＨ−ＡＲＱ受信機と、
前記送信機によって送信されたデータ・パケット群を再生するためのデータ処理装置と、
再送信されたデータ、および最初に受信されたデータから前記受信に成功したデータ・パケットを差し引いた後の前記最初に受信されたデータを合成するためのデータ合成器とを具備し、前記データ処理装置が、再送信において一緒に送信された前記送信に成功しなかったデータ・パケットおよび前記新しいデータ・パケットを同時に処理することを特徴とする受信機。
【請求項２６】
前記送信に成功しなかったデータ・パケットが、形式を変更することなく単に繰り返されることを特徴とする請求項２５に記載の受信機。
【請求項２７】
前記新しいデータ・パケットに対する形式が、前記送信に成功したデータ・パケットと同じであることを特徴とする請求項２５に記載の受信機。
【請求項２８】
前記新しいデータ・パケットに対する形式が、前記送信に成功したデータ・パケットと異なっていることを特徴とする請求項２５に記載の受信機。
【発明の詳細な説明】
【技術分野】
【０００１】
本発明は無線通信システムに関する。より詳細には本発明は、ＭＩＭＯ（Ｍｕｌｔｉｐｌｅ−Ｉｎｐｕｔ  Ｍｕｌｔｉｐｌｅ−Ｏｕｔｐｕｔ：多入力多出力）無線通信システムにおいてＨ−ＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）を実施するための方法および装置に関する。
【背景技術】
【０００２】
Ｈ−ＡＲＱは、多くの無線通信システムにおいて広く使用され、データ伝送の成功を確かなものとする伝送方式である。Ｈ−ＡＲＱにおいては、受信機が、データ・パケットの受信に成功または不成功したかを表すフィードバックを送信機に送り、送信機は失敗したデータ・パケットを再送信する。
【０００３】
ＭＩＭＯは、データ速度およびシステム・スループットを増大させるために使用される技法である。ＭＩＭＯシステムにおいては、送信機および受信機が送信および受信のために複数のアンテナを使用するので、同時に複数のデータ・ストリームが複数のアンテナを介して送信される。
【０００４】
ＭＩＭＯシステムに対しては種々のＨ−ＡＲＱ伝送方式が提案されている。ＭＩＭＯシステムに対する従来の単純繰り返し型Ｈ−ＡＲＱ方式においては、最初の送信が失敗すると、シンボルは引き続く送信に際して単に繰り返される。表１は、２×２ＭＩＭＯシステムに対する従来の単純繰り返し型Ｈ−ＡＲＱによる信号送信を示す。
【０００５】
【表１】
2009534928.tif 000003
【０００６】
ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：拡張ユニバーサル地上無線アクセス）に対しては、ＭＩＭＯシステムのためのＳＴＢＣ（Ｓｐａｃｅ  Ｔｉｍｅ  Ｂｌｏｃｋ  Ｃｏｄｅ：時空間ブロック符号化）ベースのＨ−ＡＲＱ方式が提案されている。表２は、２×２ＭＩＭＯシステムに対するＳＴＢＣベースのＨ−ＡＲＱによる信号送信を示す。
【０００７】
【表２】
2009534928.tif 000004
【０００８】
ＭＩＭＯシステムの例示としての２×２ＭＩＭＯシステムにおいては、受信された信号が次の通りに表現される：
【０００９】
【数１】
2009534928.tif 000005
【００１０】
ここで、ｔは時間の指数、yi,i=1,2は受信アンテナiで受信された信号、
hij,i,j=1,2は受信アンテナiと送信アンテナjの間のチャンネル係数、
xj,j=1,2は送信アンテナjで送信された信号、および
ni,i=1,2は受信アンテナiでの雑音である。
【００１１】
チャンネルは準静的（ｑｕａｓｉ−ｓｔａｔｉｃ）であると仮定され、失敗したパケットの再送信の間チャンネル係数が同一であり、従ってチャンネル係数に関する時間を示す字は以降省略されることになる。
【００１２】
ＳＮＲ（Ｓｉｇｎａｌ−ｔｏ−Ｎｏｉｓｅ  Ｒａｔｉｏ：信号対雑音比）が高い場合には、ＬＭＭＳＥ（Ｌｉｎｅａｒ  Ｍｉｎｉｍｕｍ  Ｍｅａｎ  Ｓｑｕａｒｅ  Ｅｒｒｏｒ：線形最小２乗平均誤差）検出の後の２つのデータ・ストリームに対するＳＮＲは次の通りに書かれる：
【００１３】
【数２】
2009534928.tif 000006
【００１４】
【数３】
2009534928.tif 000007
【００１５】
ここで、Ｅｓはシンボルのエネルギ、Ｎoは雑音電力スペクトル密度であり、そして
【００１６】
【数４】
2009534928.tif 000008
【００１７】
【数５】
2009534928.tif 000009
【００１８】
【数６】
2009534928.tif 000010
【００１９】
２つのデータ・ストリームの間のＳＮＲ比は次の通りである：
【００２０】
【数７】
2009534928.tif 000011
【００２１】
式（７）のＳＮＲ比またはその変形がそれぞれのデータ・ストリームに対するＭＣＳ（Ｍｏｄｕｌａｔｉｏｎ  ａｎｄ  Ｃｏｄｉｎｇ  Ｓｃｈｅｍｅ：変調および符号化方式）を割り当てる際に評価基準として使用される。
【００２２】
従来の単純繰り返し型Ｈ−ＡＲＱ送信に対して、再送信において受信された信号は次の通りに書かれる：
【００２３】
【数８】
2009534928.tif 000012
【００２４】
式（１）および式（８）を合成するとその結果は：
【００２５】
【数９】
2009534928.tif 000013
【００２６】
ＳＮＲが高い場合には、ＬＭＭＳＥ検出の後の２つのデータ・ストリームに対するＳＮＲは次の通りである：
【００２７】
【数１０】
2009534928.tif 000014
【００２８】
【数１１】
2009534928.tif 000015
【００２９】
ＳＮＲは最初の送信より３ｄＢ高い。２つのデータ・ストリームの間のＳＮＲ比は最初の送信と同一である。
【００３０】
ＳＴＢＣベースのＨ−ＡＲＱに対しては、再送信に対して受信された信号は次の通りに書かれる：
【００３１】
【数１２】
2009534928.tif 000016
【００３２】
式（１２）および式（１）を合成するとその結果は：
【００３３】
【数１３】
2009534928.tif 000017
【００３４】
ＳＮＲが高い場合には、２つのデータ・ストリームに対するＬＭＭＳＥ検出器の後のＳＮＲは次の通りである：
【００３５】
【数１４】
2009534928.tif 000018
【００３６】
式（１０）、（１１）、および（１４）を比較すると、ランダムＭＩＭＯチャンネルに対して一般的に当てはまる交差項（ｃｒｏｓｓ  ｔｅｒｍ）が
【００３７】
【数１５】
2009534928.tif 000019
【００３８】
である場合には、単純繰り返し型Ｈ−ＡＲＱと比較して、ＳＴＢＣベースのＨ−ＡＲＱは２つのデータ・ストリームについての全体ＳＮＲを増加させると理解することが可能である。
【発明の開示】
【発明が解決しようとする課題】
【００３９】
しかしながら、多くの現実のシステムにおいては、ＭＩＭＯチャンネルによって提供される最大能力を達成するために、それぞれの空間データ・ストリームに割り付けられるデータ速度は各々のＳＮＲに従って別々に制御される。この方式は、しばしばＰＡＲＣ（Ｐｅｒ−Ａｎｔｅｎｎａ  Ｒａｔｅ  Ｃｏｎｔｒｏｌ：アンテナ別伝送速度制御）と呼ばれる。最初の送信にて、送信機（例えばノードＢ（Ｎｏｄｅ−Ｂ））は、より高いＳＮＲを有するアンテナにより高いＭＣＳ（Ｍｏｄｕｌａｔｉｏｎ  ａｎｄ  Ｃｏｄｉｎｇ  Ｓｃｈｅｍｅ：変調および符号化方式）を割り当て、そしてより低いＳＮＲを有するアンテナにより低いＭＣＳを割り当てるであろう。再送信が発生したときにはそれぞれのアンテナに対してしばしばＭＣＳは同一に維持されるため、再送信後にアンテナ間で同一のＳＮＲ比を維持することが望ましい。しかしながら、ＳＴＢＣベースのＨ−ＡＲＱ方式は、式（１４）において示されるように、パケット合成の後のすべてのデータ・ストリームについてＳＮＲを均等化する。したがってＳＴＢＣベースのＨ−ＡＲＱ方式は、空間的ストリーム毎に適応的にデータ速度を変化させるシステム（例えばＰＡＲＣ）に対しては適当ではない。
【課題を解決するための手段】
【００４０】
本発明は、ＭＩＭＯ無線通信システムにおいてＨ−ＡＲＱを実施するための方法および装置に関する。送信機は２つまたはそれ以上のアンテナを介して少なくとも２つのデータ・パケットを送信する。それらのデータ・パケットの少なくとも１つが送信に成功しなかったら、送信機は直交拡散手法にてそのデータ・パケットを再配列して、それらのデータ・パケットを再送信する。あるいはまた送信機は、送信に成功したデータ・パケットと入れ替えた新しいデータ・パケットと共に、送信に不成功であったデータ・パケットのみを再送信する場合がある。送信に不成功であったデータ・パケットは、その形式を変更することなく、単に繰り返される場合がある。送信に不成功であったデータ・パケットのみを新しいデータ・パケットと共に再送信する場合には、再送信されたデータ・パケットおよび新しいデータ・パケットを同時に再生させるために送信を合成する場合がある。
【００４１】
例として与えられ、かつ付加された図面に関連して理解されるべき、好適な実施例の以下の記述から、本発明のより詳細な理解を得ることができる。
【発明を実施するための最良の形態】
【００４２】
本発明は、限定するものではないが、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元接続）、ＦＤＤ（Ｆｒｅｑｕｅｎｃｙ  Ｄｉｖｉｓｉｏｎ  Ｄｕｐｌｅｘ：周波数分割複信）、ＴＤＤ（Ｔｉｍｅ  Ｄｉｖｉｓｉｏｎ  Ｄｕｐｌｅｘ：時分割複信）、３Ｇ（３ｒｄ  Ｇｅｎｅｒａｔｉｏｎ：第３世代）のＬＴＥ（Ｌｏｎｇ  Ｔｅｒｍ  Ｅｖｏｌｕｔｉｏｎ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）、または他の何れの無線通信システムをも含む、何れの種別の無線通信システムにおいても実施することができる。
【００４３】
図１および図２は、本発明によって構成された送信機１００および受信機２００のブロック図である。送信機１００および受信機２００は、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）または基地局（ｂａｓｅ  ｓｔａｔｉｏｎ）であることができる。用語「ＷＴＲＵ」は、限定するものではないが、ＵＥ（Ｕｓｅｒ  Ｅｑｕｉｐｍｅｎｔ：ユーザ設備）、移動端末（ｍｏｂｉｌｅ  ｓｔａｔｉｏｎ）、固定または移動体の加入者ユニット、ページャ、携帯電話、ＰＤＡ（Ｐｅｒｓｏｎａｌ  Ｄｉｇｉｔａｌ  Ａｓｓｉｓｔａｎｔ：携帯情報端末）、コンピュータ、または無線環境において動作する能力がある他の如何なる種別のユーザ・デバイスをも含む。用語「基地局」は、限定するものではないが、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力がある他の如何なる種別のインタフェース・デバイスをも含む。
【００４４】
送信機１００は、少なくとも２つのアンテナ１０２、Ｈ−ＡＲＱ送信機１０４、および制御装置１０６を含む。Ｈ−ＡＲＱ送信機１０４は、Ｈ−ＡＲＱ機構を実装することによってそれらのアンテナ１０２を介して少なくとも２つのデータ・パケットを同時に送信する。データ・パケットの少なくとも１つが送信に成功しなかったら、Ｈ−ＡＲＱ送信機１０４はデータ・パケットを再送信する。本発明に従って、制御装置１０６は、以下に詳細に説明するように、直交拡散Ｈ−ＡＲＱ方式、修正繰り返し型Ｈ−ＡＲＱ方式、または修正ＳＴＢＣベースＨ−ＡＲＱ方式に従って、再送信のためにデータ・パケットを配列する。
【００４５】
受信機２００は、少なくとも２つのアンテナ２０２、Ｈ−ＡＲＱ受信機２０４、およびデータ処理装置２０６を含む。受信機２００は随意的に、データ合成器２０８を含むことができる。送信機１００によって送信されたデータは、アンテナ群２０２により受信される。Ｈ−ＡＲＱ受信機２０４は、Ｈ−ＡＲＱ機構を実装することによってデータを受信する。データ処理装置２０６は、送信機１００によって送信されたデータ・パケットを再生（ｒｅｃｏｖｅｒ）する。最初の送信にて少なくとも１つのデータ・パケットが受信機２００への配信に成功しなかった場合に、送信機１００が、送信に成功したデータ・パケットと入れ替えた新しいデータ・パケットと共に送信に失敗したデータ・パケットを再送信すると、データ合成器２０８は、再送信されたデータと、および最初に受信されたデータから受信に成功したデータ・パケットを差し引いた後の最初に受信されたデータとを合成することができる。データ処理装置２０６は次に、再送信において一緒に送信された、送信に不成功であったデータ・パケットおよび新しいデータ・パケットを同時に処理する。送信および受信の処理は、以下に詳細に説明されることになる。
【００４６】
本発明による直交拡散ベースのＨ−ＡＲＱ方式を説明する。表３は、例示的な２×２ＭＩＭＯシステムに対する本発明の直交拡散ベースＨ−ＡＲＱ方式による信号送信を示す。２×２ＭＩＭＯシステムは、限定するものではなく、一例として提供されるものであり、かつ本発明は２つより多いアンテナを採用するシステムに適用することができることに注意するべきである。
【００４７】
【表３】
2009534928.tif 000020
【００４８】
再送信されたパケットに対する受信された信号は次のように書かれる：
【００４９】
【数１６】
2009534928.tif 000021
【００５０】
式（１５）および式（１）を合成するとその結果は：
【００５１】
【数１７】
2009534928.tif 000022
【００５２】
【数１８】
2009534928.tif 000023
【００５３】
【数１９】
2009534928.tif 000024
【００５４】
ＳＮＲが高い場合には、２つのデータ・ストリームに対するＭＭＳＥ後のＳＮＲは次の通りである：
【００５５】
【数２０】
2009534928.tif 000025
【００５６】
【数２１】
2009534928.tif 000026
【００５７】
すべてのデータ・ストリームについてのトータルのＳＮＲは、従来の単純繰り返し型Ｈ−ＡＲＱ方式に比較して増大する。再送信の後のＳＮＲは、式（１８）および（１９）において示される。２つのデータ・ストリームの間のＳＮＲ比は、最初の送信と同一であり、ＰＡＲＣ可能ＭＩＭＯシステムにとって望ましい特徴である。
【００５８】
直交拡散ベースのＨ−ＡＲＱ方式は、２つより多いアンテナ・システムに容易に拡張することができる。Ｎ本のアンテナ上を送信されるシンボルのベクトルを
【００５９】
【数２２】
2009534928.tif 000027
【００６０】
と仮定する。直交拡散ベースのＨ−ＡＲＱの送信パターンは次のように決定される：
【００６１】
【数２３】
2009534928.tif 000028
【００６２】
ここで、ＵＮはＮ×Ｎの単位行列（ｕｎｉｔａｒｙ  ｍａｔｒｉｘ）である。
【００６３】
ｎ番目の送信の間に、行列Ｘのｎ番目の列が送信される。
【００６４】
表４は、例示的な４×４ＭＩＭＯシステムに対する本発明による信号送信を示す。
【００６５】
【表４】
2009534928.tif 000029
【００６６】
本発明の別の実施形態によると、送信されたデータ・パケットの１つが受信に成功しなかった場合に、失敗したデータ・パケットのみが新しいデータ・パケットと共に再送信される。送信に成功したデータ・パケットは、新しいデータ・パケットと入れ替えられる。例えば２×２ＭＩＭＯシステムにおいて、データ・パケットのｘ１およびｘ２が２つのアンテナを介して送信され、そしてデータ・パケットｘ１は受信に成功するが、データ・パケットｘ２は成功しなかったとする。従来のシステムにおいては、パケットｘ１およびｘ２の両方が再送される。本発明によると、失敗したパケットｘ２のみが再送され、そして送信に成功したパケットｘ１は送信されない。代わりに、新しいデータ・パケットｘ３が失敗したパケットｘ２と共に送信される。
【００６７】
表５は、例示的な２×２ＭＩＭＯシステムに対しての、本発明および従来のＳＴＢＣベースＨ−ＡＲＱ方式による信号送信を示す。従来のＳＴＢＣベースＨ−ＡＲＱにおいては表５に示されるように、パケットｘ１およびｘ２の両方が別の形式にて再送される。
【００６８】
本発明によると、新しいデータ・パケットｘ３が受信に成功した従来のＳＴＢＣベースのＨ−ＡＲＱシステムのパケットｘ１と入れ替わり、そして失敗したデータ・パケットｘ２および新しいデータ・パケットｘ３が表５において示されるＳＴＢＣベースＨ−ＡＲＱ方式のように送信される。この場合には、ＰＡＲＣ型の速度適応（ｒａｔｅ  ａｄａｐｔａｔｉｏｎ）は使用されないと仮定する。受信機設計を簡素化するために、新しいパケットｘ３の形式は、第２の送信におけるデータ・パケットｘ１と同じ（すなわち共役逆（ｃｏｎｊｕｇａｔｅｄ  ａｎｄ  ｉｎｖｅｒｓｅｄ）行列）であることができる。あるいはまた、新しいデータ・パケットｘ３に対する形式をデータ・パケットｘ１と異ならせることができる。
【００６９】
【表５】
2009534928.tif 000030
【００７０】
データ・パケットｘ１は受信に成功しているため、受信機にてデータ・パケットｘ１の復号化されたビットは再構成され、そして第１の送信に対する受信データから差し引かれる。修正された受信データは次に、第２の送信に対して受信されたデータと合成される。再送信されたデータ・パケット（すなわちデータ・パケットｘ２）においては、空間的ダイバシティが達成される。この配列は新しいデータ・パケットｘ３のＳＮＲを改善することになり、これは以下に説明されることになる。
【００７１】
第１の送信の受信された信号は、式（１）における通りである。受信されたデータから受信に成功したデータ・パケットｘ１を差し引いた後は、次の通りになる：
【００７２】
【数２４】
2009534928.tif 000031
【００７３】
以降の説明を容易にするために、式（２１）にはパケットｘ３が加えられている。
【００７４】
第２の送信に対する受信された信号は、次の通りに書かれる：
【００７５】
【数２５】
2009534928.tif 000032
【００７６】
式（２１）および式（２２）を合成するとその結果は：
【００７７】
【数２６】
2009534928.tif 000033
【００７８】
方程式（２３）は２つの２×２システムを仮想的２×４システムに変換する。パケットｘ２およびｘ３を復調するために従来のＬＭＭＳＥが適用され、次の通りになる：
【００７９】
【数２７】
2009534928.tif 000034
【００８０】
【数２８】
2009534928.tif 000035
【００８１】
準静的チャンネルにおいては、再送信されたデータ・パケットｘ２について上の行列における０（零）の要素により干渉が削減されて空間ダイバシティが達成される。準静的チャンネルを仮定して時間を示すｔを省略すると、ＳＮＲが高い場合には、第２の送信に対するデータ・ストリームのＳＮＲは次の通りに書かれる：
【００８２】
【数２９】
2009534928.tif 000036
【００８３】
【数３０】
2009534928.tif 000037
【００８４】
【数３１】
2009534928.tif 000038
【００８５】
【数３２】
2009534928.tif 000039
【００８６】
【数３３】
2009534928.tif 000040
【００８７】
新しいデータ・パケットｘ３に関して、パケットｘ２が、２つの送信から独立して検出され引き続きＭＲＣ（Ｍａｘｉｍｕｍ  Ｒａｔｉｏ  Ｃｏｍｂｉｎｉｎｇ：最大比合成）による、従来の検出技法を使用することができ、そしてパケットｘ３は第２の送信のみを使用して検出される。言い換えれば、従来の技法は式（２１）および（２２）を別々に解き、次に合成を実行する。式（２１）においては、ｘ３に対応するすべての有効なチャンネル係数が０（零）に等しいため、式（２１）からはｘ２に関する情報のみを得ることが可能である。この検出技法により、ＳＮＲは次の通りである：
【００８８】
【数３４】
2009534928.tif 000041
【００８９】
【数３５】
2009534928.tif 000042
【００９０】
【数３６】
2009534928.tif 000043
【００９１】
パケットのｘ２のＳＮＲは、両方の技法において同じである。しかしながら、式（２６）および（２８）を比較し、かつｄ１＞ｄ’１であることを考慮すると、本発明によりｘ３に関してより良いＳＮＲが達成される。
【００９２】
本発明は、２つより多いアンテナを持つシステムに拡張することができる。表６および表７は、４つのアンテナのシステムへの拡張の例を示す。表６は、従来のＳＴＢＣベースＨ−ＡＲＱ方式を示し、そして表７は、本発明による、送信に成功したパケットが新しいパケットと入れ替えられた状態の、ＳＴＢＤベースのＨ−ＡＲＱ方式を示す。
【００９３】
【表６】
2009534928.tif 000044
【００９４】
【表７】
2009534928.tif 000045
【００９５】
代わりに、失敗したパケットｘ２を単に繰り返すことができ、そして新しいパケットｘ３はパケットｘ２と共に同時送信される。
【００９６】
表８は、代表的２×２ＭＩＭＯシステムに対しての、本発明および従来の単純繰り返し型Ｈ−ＡＲＱ方式による信号送信を示す。従来の単純繰り返し型Ｈ−ＡＲＱ方式においては、受信に成功した空間的ストリームは再送信に対しては空白のままにされる。本発明によると、新しいデータ・パケットｘ３は空白のパケットに替わって送信される。したがって、より高いスペクトル効率が達成される。
【００９７】
【表８】
2009534928.tif 000046
【００９８】
第１の送信の受信された信号は、式（１）における通りである。最初に受信されたデータから受信に成功したデータ・パケットｘ１のデータ・ビットを差し引いた後は、次の通りになる：
【００９９】
【数３７】
2009534928.tif 000047
【０１００】
第２の送信に対して受信された信号は、次の通りに書かれる：
【０１０１】
【数３８】
2009534928.tif 000048
【０１０２】
式（２９）および式（３０）を合成するとその結果は：
【０１０３】
【数３９】
2009534928.tif 000049
【０１０４】
式（２９）および（３０）を解き引き続き合成器にかける代わりに、本発明は次の通りＬＭＭＳＥを適用して式（３１）を解く：
【０１０５】
【数４０】
2009534928.tif 000050
【０１０６】
【数４１】
2009534928.tif 000051
【０１０７】
ＳＮＲが高い場合には、ｘ２およびｘ３に対するＭＭＳＥ後のＳＮＲは次の通りである：
【０１０８】
【数４２】
2009534928.tif 000052
【０１０９】
【数４３】
2009534928.tif 000053
【０１１０】
【数４４】
2009534928.tif 000054
【０１１１】
【数４５】
2009534928.tif 000055
【０１１２】
【数４６】
2009534928.tif 000056
【０１１３】
従来の受信機に関しては、データは、合成される前にそれぞれの送信に対して別々に検出される。言い換えれば、従来の検出は、式（２９）および（３０）を別々に解き、次に検出後の信号を合成する。式（３１）を解くためにＬＭＭＳＥ受信機が使用され、かつ検出後の信号を合成するためにＭＲＣ（Ｍａｘｉｍｕｍ  Ｒａｔｉｏ  Ｃｏｍｂｉｎｉｎｇ：最大比合成）が使用されると仮定すると、ＳＮＲが高い場合には、データｘ２およびｘ３に対する合成されたＳＮＲは、次の通り書くことが可能である:
【０１１４】
【数４７】
2009534928.tif 000057
【０１１５】
【数４８】
2009534928.tif 000058
【０１１６】
【数４９】
2009534928.tif 000059
【０１１７】
【数５０】
2009534928.tif 000060
【０１１８】
【数５１】
2009534928.tif 000061
【０１１９】
式（３３）および（３５）を比較すると、従来の方式および本発明の両方に対して、再送されたデータ・パケットｘ２のＳＮＲが同じであることが示される。しかしながら、式（３４）および（３６）を比較すると、ｄ１＞ｄ’１であるため、新しいデータ・パケットｘ３のＳＮＲが本発明を使用することで改善されることが示される。
【０１２０】
実施形態
１．ＭＩＭＯ無線通信システムにおいてＨ−ＡＲＱを実施するための方法。
【０１２１】
２．少なくとも２つのデータ・パケットを受信機に送信する送信機を具備する実施形態１の方法。
【０１２２】
３．前記データ・パケット群の少なくとも１つが送信に成功しなかったら、前記送信機が、再送信のために直交拡散手法にて前記データ・パケット群を再配列して、前記受信機に前記データ・パケット群を再送信することを具備する実施形態２の方法。
【０１２３】
４．前記データ・パケット群を送信するために、ＰＡＲＣが実行される実施形態２〜３の何れか１つの方法。
【０１２４】
５．前記送信機および前記受信機の両方が２つのアンテナを含み、前記送信機が、２つのアンテナを介して最初の送信にてデータ・シンボルのｘ１およびｘ２を送信し、再送信にてデータ・シンボルのｘ１および−ｘ２を送信する実施形態２〜４の何れか１つの方法。
【０１２５】
６．前記送信機および前記受信機の両方が４つのアンテナを含み、前記送信機が、４つのアンテナを介して最初の送信にてデータ・シンボルのｘ１，ｘ２、ｘ３、およびｘ４を送信し、かつ第１の再送信にてデータ・シンボルのｘ１、−ｘ２、ｘ３、および−ｘ４を送信する実施形態２〜４の何れか１つの方法。
【０１２６】
７．前記送信機が第２の再送信にてデータ・シンボルのｘ１、ｘ２、−ｘ３、および−ｘ４を送信する実施形態６の方法。
【０１２７】
８．前記送信機が第３の再送信にてデータ・シンボルのｘ１、−ｘ２、−ｘ３、およびｘ４を送信する実施形態７の方法。
【０１２８】
９．最初の送信にて前記データ・パケット群の少なくとも１つが送信に成功しなかったら、前記送信機が、送信に成功したデータ・パケットと入れ替えた新しいデータ・パケットと共に前記送信に成功しなかったデータ・パケットを再送信することを具備する実施形態２の方法。
【０１２９】
１０．前記受信機が、前記送信に成功したデータ・パケットを組み立てる実施形態９の方法。
【０１３０】
１１．前記受信機が、最初に受信されたデータから前記送信に成功したデータ・パケットを差し引く実施形態１０の方法。
【０１３１】
１２．前記受信機が、再送信されたデータと、前記送信に成功したデータ・パケットを差し引いた後の前記最初に受信されたデータを合成する実施形態１１の方法。
【０１３２】
１３．前記受信機が、前記最初の送信にて前記送信に成功しなかったデータ・パケットおよび前記新しいデータ・パケットを獲得するための処理を同時に実行する実施形態１２の方法。
【０１３３】
１４．前記送信に成功しなかったデータ・パケットが、最初の送信における通りに形式を変更することなく単に繰り返される実施形態９〜１３の何れか１つの方法。
【０１３４】
１５．前記送信に成功しなかったデータ・パケットおよび前記新しいデータ・パケットが、ＳＴＢＣ（Ｓｐａｃｅ  Ｔｉｍｅ  Ｂｌｏｃｋ  Ｃｏｄｉｎｇ：時空間ブロック符号化）ベースのＨ−ＡＲＱ方式に従って配列される実施形態９〜１３の何れか１つの方法。
【０１３５】
１６．前記新しいデータ・パケットに対する形式が、前記送信に成功したデータ・パケットと同じである実施形態９〜１５の何れか１つの方法。
【０１３６】
１７．前記新しいデータ・パケットに対する形式が、前記送信に成功したデータ・パケットと異なっている実施形態９〜１５の何れか１つの方法。
【０１３７】
１８．前記データ・パケット群を送信するために、ＰＡＲＣが実行される実施形態９〜１７の何れか１つの方法。
【０１３８】
１９．ＭＩＭＯ無線通信システムにおいてＨ−ＡＲＱを実施するための送信機。
【０１３９】
２０．少なくとも２つのアンテナを具備する実施形態１９の送信機。
【０１４０】
２１．前記アンテナを介して少なくとも２つのデータ・パケットを同時に送信し、かつ前記データ・パケット群の少なくとも１つが送信に成功しなかったら、前記データ・パケット群を再送信するためのＨ−ＡＲＱ送信機を具備する実施形態２０の送信機。
【０１４１】
２２．前記データ・パケット群を再送信のために直交拡散手法にて再配列するための制御装置を具備する実施形態１９〜２１の何れか１つの送信機。
【０１４２】
２３．前記データ・パケット群を送信するために、ＰＡＲＣが実行される実施形態１９〜２２の何れか１つの送信機。
【０１４３】
２４．前記送信機および受信機の両方が２つのアンテナを含み、前記制御装置が、２つのアンテナを介して最初の送信にてデータ・シンボルのｘ１およびｘ２を送信し、再送信にてデータ・シンボルのｘ１および−ｘ２を送信する実施形態１９〜２３の何れか１つの送信機。
【０１４４】
２５．前記送信機および受信機の両方が４つのアンテナを含み、前記制御装置が、４つのアンテナを介して最初の送信にてデータ・シンボルのｘ１，ｘ２、ｘ３、およびｘ４を送信し、第１の再送信にてデータ・シンボルのｘ１、−ｘ２、ｘ３、および−ｘ４を送信する実施形態１９〜２３の何れか１つの送信機。
【０１４５】
２６．前記送信機が第２の再送信にてデータ・シンボルのｘ１、ｘ２、−ｘ３、および−ｘ４を送信する実施形態２５の送信機。
【０１４６】
２７．前記送信機が第３の再送信にてデータ・シンボルのｘ１、−ｘ２、−ｘ３、およびｘ４を送信する実施形態２６の送信機。
【０１４７】
２８．前記アンテナを介して少なくとも２つのデータ・パケットを送信し、および最初の送信にて前記データ・パケット群の少なくとも１つが送信に成功しなかったら、データ・パケット群を再送信するＨ−ＡＲＱ送信機を具備する実施形態２０の送信機。
【０１４８】
２９．送信に成功したデータ・パケットと入れ替えた新しいデータ・パケットと共に前記送信に成功しなかったデータ・パケットのみを再送信するように前記Ｈ−ＡＲＱ送信機を制御する制御装置を具備する実施形態２８の送信機。
【０１４９】
３０．前記送信に成功しなかったデータ・パケットが、形式を変更することなく単に繰り返される実施形態２８〜２９の何れか１つの送信機。
【０１５０】
３１．前記新しいデータ・パケットに対する形式が、前記送信に成功したデータ・パケットと同じである実施形態２８〜３０の何れか１つの送信機。
【０１５１】
３２．前記新しいデータ・パケットに対する形式が、前記送信に成功したデータ・パケットと異なっている実施形態２８〜３０の何れか１つの送信機。
【０１５２】
３３．前記データ・パケット群を送信するために、ＰＡＲＣ（Ｐｅｒ−Ａｎｔｅｎｎａ  Ｒａｔｅ  Ｃｏｎｔｒｏｌ：アンテナ別伝送速度制御）が実行される実施形態２８〜３１の何れか１つの送信機。
【０１５３】
３４．ＭＩＭＯ無線通信システムにおいてＨ−ＡＲＱを実施する受信機。
【０１５４】
３５．少なくとも２つのアンテナを具備する実施形態３４の受信機。
【０１５５】
３６．最初の送信にて少なくとも１つのデータ・パケットが配信に成功しなかった場合に、前記送信機が、送信に成功したデータ・パケットと入れ替えた新しいデータ・パケットと共に送信に成功しなかったデータ・パケットを再送信する送信機からデータを受信するためのＨ−ＡＲＱ受信機を具備した実施形態３５の受信機。
【０１５６】
３７．前記送信機によって送信されたデータ・パケット群を再生するためのデータ処理装置を具備した実施形態３６の受信機。
【０１５７】
３８．再送信されたデータ、および最初に受信されたデータから前記受信に成功したデータ・パケットを差し引いた後の前記最初に受信されたデータを合成するためのデータ合成器を具備し、前記データ処理装置が再送信において一緒に送信した前記送信に成功しなかったデータ・パケットおよび前記新しいデータ・パケットを同時に処理する実施形態３７の受信機。
【０１５８】
３９．前記送信に成功しなかったデータ・パケットが、形式を変更することなく単に繰り返される実施形態３６〜３８の何れか１つの受信機。
【０１５９】
４０．前記新しいデータ・パケットに対する形式が、前記送信に成功したデータ・パケットと同じである実施形態３６〜３９の何れか１つの受信機。
【０１６０】
４１．前記新しいデータ・パケットに対する形式が、前記送信に成功したデータ・パケットと異なっている実施形態３６〜３９の何れか１つの受信機。
【０１６１】
本発明の特徴および要素が好適な実施形態において特定の組み合わせにて記述されているが、それぞれの特徴または要素は、好適な実施形態の他の特徴および要素なしで単独にて、または本発明の他の特徴および要素のあるなしにかかわらず、様々な組み合わせにて使用可能である。本発明において提供された方法またはフロー図は、汎用目的のコンピュータまたは処理装置による実行のための、コンピュータにて読み込み可能な記憶媒体にて実体的に具現化されたコンピュータ・プログラム、ソフトウェア、またはファームウェアにて実施することができる。コンピュータにて読み込み可能な記憶媒体の例としては、ＲＯＭ（Ｒｅａｄ  Ｏｎｌｙ  Ｍｅｍｏｒｙ：読み出し専用メモリ）、ＲＡＭ（Ｒａｎｄｏｍ  Ａｃｃｅｓｓ  Ｍｅｍｏｒｙ：ランダム・アクセス・メモリ）、レジスタ、キャッシュ・メモリ、半導体記憶デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【０１６２】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【０１６３】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザ設備）、端末、基地局、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピュータにおいて使用するための無線周波数送受信機を実装するために、ソフトウェアに関連付けられた処理装置を使用することができる。ＷＴＲＵは、ハードウェアおよび／またはソフトウェアにて実装され、カメラ、ビデオカメラ・モジュール、テレビ電話、スピーカフォン、振動デバイス、スピーカ、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調）された無線ユニット、ＬＣＤ（Ｌｉｑｕｉｄ  Ｃｒｙｓｔａｌ  Ｄｉｓｐｌａｙ：液晶）表示装置、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤ、メディア・プレーヤ、テレビゲーム・プレーヤ・モジュール、インターネット・ブラウザ、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【図面の簡単な説明】
【０１６４】
【図１】本発明に従って構成された送信機のブロック図である。
【図２】本発明に従って構成された受信機のブロック図である。
【図１】
2009534928.tif 000062
【図２】
2009534928.tif 000063
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
ＭＩＭＯ伝送においてハイブリッド自動再送要求（Ｈ−ＡＲＱ）を実施するための方法であって、
複数の送信アンテナを介して少なくとも２つのデータ・パケットを送信することと、
前記データ・パケット群に対するＨ−ＡＲＱフィードバックを受信することと、
前記データ・パケット群の少なくとも１つが送信に成功しなかったら、再送信のために直交拡散手法にて前記データ・パケット群を再配列して、前記データ・パケット群を再送信することと
を具備することを特徴とする方法。
【請求項２】
前記データ・パケット群を送信するために、アンテナ別伝送速度制御（ＰＡＲＣ）が実行されることを特徴とする請求項１に記載の方法。
【請求項３】
２つのアンテナを介して最初の送信にてデータ・シンボルのｘ１およびｘ２が送信され、再送信にてデータ・シンボルのｘ１および−ｘ２が送信されることを特徴とする請求項１に記載の方法。
【請求項４】
４つのアンテナを介して最初の送信にてデータ・シンボルのｘ１，ｘ２、ｘ３、およびｘ４が送信され、第１の再送信にてデータ・シンボルのｘ１、−ｘ２、ｘ３、および−ｘ４が送信されることを特徴とする請求項１に記載の方法。
【請求項５】
第２の再送信にてデータ・シンボルのｘ１、ｘ２、−ｘ３、および−ｘ４が送信されることを特徴とする請求項４に記載の方法。
【請求項６】
第３の再送信にてデータ・シンボルのｘ１、−ｘ２、−ｘ３、およびｘ４が送信されることを特徴とする請求項５に記載の方法。
【請求項７】
ＭＩＭＯ伝送においてハイブリッド自動再送要求（Ｈ−ＡＲＱ）を実施するための方法であって、
複数の送信アンテナを介して少なくとも２つのデータ・パケットを送信することと、
前記データ・パケット群に対するＨ−ＡＲＱフィードバックを受信することと、
最初の送信にて前記データ・パケット群の少なくとも１つが送信に成功しなかったら、送信に成功したデータ・パケットと入れ替わった新しいデータ・パケットと共に前記送信に成功しなかったデータ・パケットを再送信することと
を具備することを特徴とする方法。
【請求項８】
前記送信に成功しなかったデータ・パケットが、最初の送信における通りに形式を変更することなく単に繰り返されることを特徴とする請求項７に記載の方法。
【請求項９】
前記送信に成功しなかったデータ・パケットおよび前記新しいデータ・パケットが、時空間ブロック符号化（ＳＴＢＣ）ベースのＨ−ＡＲＱ方式に従って配列されることを特徴とする請求項８に記載の方法。
【請求項１０】
前記新しいデータ・パケットに対する形式が、前記送信に成功したデータ・パケットと同じであることを特徴とする請求項８に記載の方法。
【請求項１１】
前記新しいデータ・パケットに対する形式が、前記送信に成功したデータ・パケットと異なっていることを特徴とする請求項８に記載の方法。
【請求項１２】
前記データ・パケット群を送信するために、アンテナ別伝送速度制御（ＰＡＲＣ）が実行されることを特徴とする請求項７に記載の方法。
【請求項１３】
ＭＩＭＯ伝送においてハイブリッド自動再送要求（Ｈ−ＡＲＱ）を実施するための送信機であって、
少なくとも２つのアンテナと、
前記アンテナを介して少なくとも２つのデータ・パケットを同時に送信し、前記データ・パケット群の少なくとも１つが送信に成功しなかったら、前記データ・パケット群を再送信するＨ−ＡＲＱ送信機と、
前記データ・パケット群を再送信のために直交拡散手法にて再配列するための制御装置と
を具備することを特徴とする送信機。
【請求項１４】
前記データ・パケット群を送信するために、アンテナ別伝送速度制御（ＰＡＲＣ）が実行されることを特徴とする請求項１３に記載の送信機。
【請求項１５】
前記制御装置が、２つのアンテナを介して最初の送信にてデータ・シンボルのｘ１およびｘ２を送信し、再送信にてデータ・シンボルのｘ１および−ｘ２を送信することを特徴とする請求項１３に記載の送信機。
【請求項１６】
前記制御装置が、４つのアンテナを介して最初の送信にてデータ・シンボルのｘ１，ｘ２、ｘ３、およびｘ４を送信し、第１の再送信にてデータ・シンボルのｘ１、−ｘ２、ｘ３、および−ｘ４を送信することを特徴とする請求項１３に記載の送信機。
【請求項１７】
前記送信機が第２の再送信にてデータ・シンボルのｘ１、ｘ２、−ｘ３、および−ｘ４を送信することを特徴とする請求項１６に記載の送信機。
【請求項１８】
前記送信機が第３の再送信にてデータ・シンボルのｘ１、−ｘ２、−ｘ３、およびｘ４を送信することを特徴とする請求項１７に記載の送信機。
【請求項１９】
ＭＩＭＯ伝送においてハイブリッド自動再送要求（Ｈ−ＡＲＱ）を実施するための送信機であって、
少なくとも２つのアンテナと、
前記アンテナを介して少なくとも２つのデータ・パケットを送信し、最初の送信にて前記データ・パケット群の少なくとも１つが送信に成功しなかったら、データ・パケット群を再送信するＨ−ＡＲＱ送信機と、
送信に成功したデータ・パケットと入れ替えた新しいデータ・パケットと共に前記送信に成功しなかったデータ・パケットのみを再送信するように前記Ｈ−ＡＲＱ送信機を制御する制御装置と
を具備することを特徴とする送信機。
【請求項２０】
前記送信に成功しなかったデータ・パケットが、形式を変更することなく単に繰り返されることを特徴とする請求項１９に記載の送信機。
【請求項２１】
前記新しいデータ・パケットに対する形式が、前記送信に成功したデータ・パケットと同じであることを特徴とする請求項１９に記載の送信機。
【請求項２２】
前記新しいデータ・パケットに対する形式が、前記送信に成功したデータ・パケットと異なっていることを特徴とする請求項１９に記載の送信機。
【請求項２３】
前記データ・パケット群を送信するために、アンテナ別伝送速度制御（ＰＡＲＣ）が実行されることを特徴とする請求項１９に記載の送信機。
【国際調査報告】
2009534928.tif 000064
2009534928.tif 000065
2009534928.tif 000066